(57)【要約】【課題】  身体を保護する機能を有し、全体として携帯性を確保しつつ、充分な発光を実現できる救命用具を提供すること。【解決手段】  本発明の救命用具は、両端が開口した略円筒状の本体と；該本体の一方の端部の開口部に設けられた発音手段と；該本体の他方の端部の開口部から取り出し可能であり、且つ、該本体の内部に少なくとも一部が収納されている略円柱状の発光手段と；該本体と略同軸の円筒を形成するように巻回された帯状の身体保護手段と；を備える。【選択図】図１
2015093119.tif 000002
【特許請求の範囲】
【請求項１】
両端が開口した略円筒状の本体と；
該本体の一方の端部の開口部に設けられた発音手段と；
該本体の他方の端部の開口部から取り出し可能であり、且つ、該本体の内部に少なくとも一部が収納されている略円柱状の発光手段と；
該本体と略同軸の円筒を形成するように巻回された帯状の身体保護手段と；を備える、
救命用具。
【請求項２】
前記発音手段が笛である、請求項１に記載の救命用具。
【請求項３】
前記発光手段は、少なくとも２種類の化学物質を混合して発光する化学発光手段であり、
少なくとも１種類の化学物質は、前記発光手段内部に収納された密閉容器内に収納され、
該密閉容器は容易に破壊可能であり、
少なくとも１種類の他の化学物質は、前記発光手段内部、且つ、該密閉容器外に収納されている、
請求項１または２に記載の救命用具。
【請求項４】
前記身体保護手段がポリエチレンからなる、請求項１から３のいずれか１項に記載の救命用具。
【発明の詳細な説明】
【技術分野】
【０００１】
本発明は、救命用具に関する。
【背景技術】
【０００２】
遭難時および／または災害時に用いる救難報知具として、発音部と発光部とを一体的に設けた救難報知具が知られている（特許文献１）。
【０００３】
しかし、上記救難報知具は報知機能を有するのみであり、遭難時および／または災害時に身体を保護する機能を備えていないという問題がある。さらに、上記救難報知具は、発音部と発光部とを単に一体としたに過ぎず、且つ、上記救難報知具全体の大きさはペンシル若しくは小形懐中電灯程度であるので、発光部の大きさが非常に小さく、発光量が充分でないという問題がある。
【先行技術文献】
【特許文献】
【０００４】
【特許文献１】特開２００１−１２６１５１号公報
【発明の概要】
【発明が解決しようとする課題】
【０００５】
本発明は上記従来の課題を解決するためになされたものであり、その目的とするところは、身体を保護する機能を有し、全体として携帯性を確保しつつ、充分な発光を実現できる救命用具を提供することにある。
【課題を解決するための手段】
【０００６】
本発明の救命用具は、
両端が開口した略円筒状の本体と；
該本体の一方の端部の開口部に設けられた発音手段と；
該本体の他方の端部の開口部から取り出し可能であり、且つ、該本体の内部に少なくとも一部が収納されている略円柱状の発光手段と；
該本体と略同軸の円筒を形成するように巻回された帯状の身体保護手段と；を備える。
１つの実施形態においては、上記発音手段は笛である。
１つの実施形態においては、上記発光手段は、少なくとも２種類の化学物質を混合して発光する化学発光手段であり、少なくとも１種類の化学物質は、前記発光手段内部に収納された密閉容器内に収納され、該密閉容器は容易に破壊可能であり、少なくとも１種類の他の化学物質は、前記発光手段内部、且つ、該密閉容器外に収納されている。
１つの実施形態においては、上記身体保護手段がポリエチレンからなる。
【発明の効果】
【０００７】
本発明の救命用具は帯状の身体保護手段を備えているので、身体を保護する機能を有する。本発明の救命用具において、発光手段の少なくとも一部が本体の内部に収納されているので、救命用具全体として携帯性を確保しつつ、充分な大きさの発光手段を用いることができる。したがって、本発明の救命用具は充分な発光を実現できる。
【図面の簡単な説明】
【０００８】
【図１】本発明の１つの実施形態による救命用具の概略斜視図である。
【図２】本発明の１つの実施形態による救命用具の本体および発音手段を説明するための要部概略斜視図である。
【図３】本発明の１つの実施形態による救命用具に好ましく用いられる発光手段の概略図である。
【図４】本発明の１つの実施形態による救命用具の本体、発音手段、および発光手段を説明するための要部概略図である。
【発明を実施するための形態】
【０００９】
以下、図面を参照して本発明の実施形態について説明するが、本発明はこれらの実施形態には限定されない。
【００１０】
Ａ．救命用具の全体構成
図１は、本発明の１つの実施形態による救命用具の概略斜視図である。図２は、本発明の１つの実施形態による救命用具の本体および発音手段を説明するための要部概略斜視図である。救命用具１００は、本体１０と、発音手段２０と、発光手段３０と、身体保護手段４０とを備える。
【００１１】
本体１０の形状は略円筒状である。上記略円筒の両端は開口している。発音手段２０は、本体１０の一方の端部の開口部に設けられている。発光手段３０は、本体１０の他方の端部の開口部から取り出し可能である。発光手段３０の少なくとも一部は、本体１０の内部に収納されている。身体保護手段４０の形状は帯状である。身体保護手段４０は、本体１０と略同軸の円筒を形成するように巻回されている。
【００１２】
発音手段２０は、代表的には、本体１０に取り付けられている。図示例では、発音手段２０は、本体１０の開口部近傍に設けられている。図示例では、発音手段２０は、本体１０の内部に設けられている。発音手段２０は、代表的には、本体１０の上記一方の端部の開口部を塞いでいる。図示例では、発音手段２０の形状は略円筒状である。上記略円筒は、本体１０と略同軸である。上記略円筒は、本体１０の内径に略同一の外径を有する。上記略円筒の外周面は、本体１０の内周面に接触している。図示例では、発音手段２０は、本体１０に固定されている。このような構成を有することにより、救命用具１００の携帯性が向上する。
【００１３】
発音手段２０としては、任意の適切な発音手段が採用できる。発音手段２０としては、例えば、空気の流れ（例えば呼吸）によって発音する発音手段が挙げられる。さらに具体的には、笛およびホイッスルが挙げられる。
【００１４】
図３は、本発明の１つの実施形態による救命用具に好ましく用いられる発光手段の概略斜視図である。図４は、本発明の１つの実施形態による救命用具の本体、発音手段、および発光手段を説明するための要部概略断面図である。発光手段３０の形状は略円柱状である。発光手段３０は、代表的には、本体１０の内部に収納されない把手部３１を有する。このような構成を有することにより、発光手段３０を本体１０の内部から容易に取り出すことができる。
【００１５】
発光手段３０は、代表的には、本体１０に取り付けられている取り付け部３２を有する。取り付け部３２は、代表的には、本体１０の開口部近傍に取り付けられている。図示例では、取り付け部３２は、本体１０の内周面に取り付けられている。図示例では、取り付け部３２は、本体１０に固定されている。図示例では、取り付け部３２の形状は、略円筒状である。上記略円筒は、本体１０と略同軸である。上記略円筒は、本体１０の内径に略同一の外径を有する。上記略円筒の外周面は、本体１０の内周面に接触している。このような構成を有することにより、発光手段３０が本体１０の内部から飛び出すことを防止することができる。
【００１６】
取り付け部３２は、代表的には、本体１０に取り外し可能に取り付けられている。取り付け部３２を本体１０に取り付ける方法としては、任意の適切な方法を採用できる。上記方法としては、例えば、固着手段、および連結手段（例えば、ねじ込み、および差し込み）が挙げられる。上記方法としては、固着手段が好ましい。上記固着手段としては、例えば、接着剤が挙げられる。上記接着剤としては、例えば、ホットメルト接着剤および合成接着剤（例えばコニシ株式会社製「ボンド」（登録商標））が挙げられ、ホットメルト接着剤が好ましい。このような構成を有することにより、救命用具１００の使用時には、発光手段３０を本体１０の内部から容易に取り出すことができる。
【００１７】
発光手段３０は、代表的には、発光部３３を有する。発光部３３は、代表的には、本体１０の内部に収納される。図示例では、発光部３３の形状は、略円筒状である。上記略円筒は、本体１０と略同軸である。上記略円筒は中空構造を有する。図示例では、発光部３３は屈曲可能である。
【００１８】
発光手段３０としては、任意の適切な発光手段が採用できる。発光手段３０としては、例えば、少なくとも２種類の化学物質を混合して発光する化学発光手段が挙げられる。図示例では、発光手段３０は屈曲可能である。図示例では、少なくとも１種類の化学物質３３２は、発光手段３０内部に収納された密閉容器３３１内に収納されている。図示例では、少なくとも１種類の他の化学物質３３３は、発光手段３０内部、且つ、密閉容器３３１外に収納されている。密閉容器３３１としては、任意の適切な容器を採用できる。密閉容器３３１としては、例えば、容易に破壊可能な容器が挙げられる。具体的には、ポリエチレンアンプルおよびガラスアンプルが挙げられ、ポリエチレンアンプルが好ましい。このような構成を有することにより、救命用具１００の使用時に密閉容器３３１を容易に破壊することができる。その結果、化学物質３３２と化学物質３３３とが混合され、発光する。上記発光反応は、代表的には、発光部３３で行われる。化学物質３３２および化学物質３３３としては任意の適切な化学物質を採用できる。上記化学物質としては、例えば、液体の化学物質が挙げられる。上記化学物質が液体であると、混合による発光反応がより容易になる。上記化学物質として、具体的には、株式会社ルミカ製の「ルミカライト」（登録商標）が挙げられる。
【００１９】
密閉容器３３１を破壊する方法としては、任意の適切な方法を採用できる。上記方法としては、例えば、救命用具１００に外力を加えることが挙げられる。上記外力としては、例えば、使用者が救命用具１００を折り曲げることが挙げられる。
【００２０】
身体保護手段４０は、代表的には、本体１０の中央部から上部にかけて巻回されている。身体保護手段４０が巻回されている態様としては、任意の適切な態様が挙げられる。上記態様としては、例えば、身体保護手段４０が本体１０の外周面に巻回されている態様、および図示例のように身体保護手段４０が本体１０の外周面に設けられた身体保護手段巻回部４１に巻回されている態様が挙げられる。図示例では、身体保護手段巻回部４１の形状は、略円筒状である。上記略円筒は、本体１０と略同軸である。上記略円筒は、本体１０の外径と略同一の内径を有する。身体保護手段巻回部４１は、本体１０の外周面に固定されていても良いし、図示例のように本体１０の外周面に移動可能に設けられていても良い。上記移動の方向としては、例えば、本体１０の軸に対して平行な方向が挙げられる。身体保護手段巻回部４１が移動可能であると、身体保護手段４０を本体１０から容易に取り外すことができる。
【００２１】
身体保護手段４０を構成する材料としては、任意の適切な材料を採用できる。上記材料としては、例えば、プラスチック材料が挙げられる。上記プラスチック材料としては、例えば、ポリエチレンおよびポリ塩化ビニルが挙げられ、ポリエチレンが好ましい。身体保護手段４０は、ポリエチレンからなることが好ましい。上記材料を採用することにより、身体保護手段４０の保温性および強度が向上する。
【００２２】
身体保護手段４０が身体を保護する態様としては、任意の適切な態様を採用できる。上記態様としては、例えば、身体の全部または一部に身体保護手段４０を巻回する態様が挙げられる。身体保護手段４０を用いて、例えば、外傷部を保護したり、身体を保温したり、身体を突起物から保護したり、骨折時の応急措置（本体１０を副木として利用）をしたりすることができる。
【００２３】
図示例では、本体１０の外周面、且つ、身体保護手段巻回部４１上部に、第１の身体保護手段係止部１１が設けられている。さらに、本体１０の外周面、且つ、身体保護手段巻回部４１下部に、第２の身体保護手段係止部１２が設けられている。これらの身体保護手段係止部が本体１０の外周面に設けられている態様としては、任意の適切な態様が挙げられる。上記態様としては、例えば、第１の身体保護手段係止部１１および／または第２の身体保護手段係止部１２が、本体１０の外周面に巻回されている態様、ならびに本体１０の外周面に固定されている態様が挙げられる。このような構成を有することにより、身体保護手段４０が本体１０から外れることを防止することができる。
【００２４】
上記身体保護手段係止部の少なくとも何れか一方を構成する材料としては、任意の適切な材料を採用できる。上記材料としては、例えば、弾性を有する材料（例えばゴム）が挙げられる。上記材料を採用することにより、第１の身体保護手段係止部１１および／または第２の身体保護手段係止部１２を本体１０から容易に取り外すことができ、その結果、身体保護手段４０も本体１０から容易に取り外すことができる。
【００２５】
上記身体保護手段係止部の少なくとも何れか一方を構成する材料としては、例えば、蓄光能を有する材料（例えば蓄光ゴム）が挙げられる。上記材料を採用することにより、発光手段３０の使用時に身体保護手段係止部に蓄光することが可能になり、発光をより持続させることができる。さらに、上記材料として蓄光ゴムを用いると、発光手段３０に身体保護手段係止部を容易に巻回できるので、身体保護手段係止部に蓄光することがより容易になる。
【００２６】
Ｂ．本体
本体１０の長さの上限は、代表的には４０ｃｍであり、好ましくは３０ｃｍである。上記のように設定することにより、救命用具１００の携帯性が向上する。本体１０の長さの下限は、代表的には１０ｃｍであり、好ましくは１５ｃｍである。上記のように設定することにより、本体１０を身体保護用途（例えば、副木）に使用しやすくなる。
【００２７】
本体１０の外径の上限は、代表的には５ｃｍであり、好ましくは４ｃｍである。上記のように設定することにより、救命用具１００の携帯性が向上する。本体１０の外径の下限は、代表的には１ｃｍである。
【００２８】
Ｃ．発音手段
発音手段２０の長さの上限は、代表的には１０ｃｍであり、好ましくは５ｃｍである。上記のように設定することにより、発光手段３０を本体１０内部に収納するために充分なスペースを確保することができる。発音手段２０の長さの下限は、代表的には０．５ｃｍである。
【００２９】
Ｄ．発光手段
発光手段３０の長さの上限は、代表的には３０ｃｍであり、好ましくは２０ｃｍである。上記のように設定することにより、発光手段３０の携帯性が向上する。発光手段３０の長さの下限は、代表的には１０ｃｍであり、好ましくは１５ｃｍである。上記のように設定することにより、発光手段３０の発光量が増大し、救命用具１００の報知機能が向上する。
【００３０】
発光手段３０のうち、本体１０の内部に収納されている部分の長さは、全体の長さに対して、代表的には６０％以上であり、好ましくは７０％以上である。上記のように設定することにより、本体１０の携帯性が向上する。
【００３１】
発光手段３０の把手部３１の長さの上限は、代表的には５ｃｍであり、好ましくは４ｃｍである。上記のように設定することにより、本体１０の携帯性が向上する。把手部３１の長さの下限は、代表的には０．５ｃｍである。
【００３２】
発光手段３０の長さと、把手部３１の長さとの割合（前者／後者）の下限は、代表的には４であり、好ましくは５である。上記のように設定することにより、本体１０の携帯性が向上する。上記割合の上限は、代表的には１０である。
【００３３】
Ｅ．身体保護手段
身体保護手段４０の幅方向の長さの上限は、代表的には２５ｃｍであり、好ましくは１５ｃｍである。上記のように設定することにより、救命用具１００の携帯性が向上する。身体保護手段４０の幅方向の長さの下限は、代表的には５ｃｍであり、好ましくは７．５ｃｍである。
【００３４】
身体保護手段４０の長手方向の長さの上限は、代表的には１５０ｍであり、好ましくは７５ｍである。上記のように設定することにより、救命用具１００の携帯性が向上する。身体保護手段４０の長手方向の長さの下限は、代表的には２０ｍであり、好ましくは３０ｍである。
【００３５】
身体保護手段４０の厚みの上限は、代表的には５０μｍであり、好ましくは３０μｍである。上記のように設定することにより、救命用具１００の携帯性が向上する。身体保護手段４０の厚みの下限は、代表的には５μｍであり、好ましくは１０μｍである。上記のように設定することにより、身体保護手段４０の身体保護機能が向上する。
【産業上の利用可能性】
【００３６】
本発明の救命用具は、災害用およびスポーツ用（例えば登山用およびハイキング用）の常備品として特に好適に用いることができる。
【符号の説明】
【００３７】
１０    本体
２０    発音手段
３０    発光手段
４０    身体保護手段
１００    救命用具
【図１】
2015093119.tif 000003
【図２】
2015093119.tif 000004
【図３】
2015093119.tif 000005
【図４】
2015093119.tif 000006